(57)【要約】【課題】利用者に対して献立の候補となるメニューを複数提示し、利用者が複数の選択肢の中から、好みの品物を選択できるようにすることで、利用者に手間をかけさせずに、感覚的に利用可能なメニュー提案システムを提供する【解決手段】料理のレシピ、当該料理の外観または分類に関連する情報である関連情報、を含むメニュー情報Ｉを複数記憶したメニュー情報記憶部ＤＢ１と、規定数のメニュー情報Ｉを無作為に選択する無作為選択部１１と、無作為選択部１１により選択されたメニュー情報Ｉの関連情報に基づいて、選択されたメニュー情報Ｉに偏りがないかを判定する偏り判定部１２と、を備え、偏り判定部１２により偏りがあると判定された場合には、再度、無作為選択部１１によってメニュー情報Ｉを選択し、偏りがないと判定された場合には、表示入力部３が、無作為選択部１１によって選択されたメニュー情報Ｉを表示する。【選択図】図１
2016184220.tif 000002
【特許請求の範囲】
【請求項１】
表示部に複数のメニューを表示し、利用者にメニューの提案を行うメニュー提案システムであって、
料理のレシピと当該料理の外観または分類に関連する情報である関連情報とを含むメニュー情報を複数記憶したメニュー情報記憶部と、
複数の前記メニュー情報から、規定数の前記メニュー情報を無作為に選択する無作為選択部と、
前記無作為選択部により選択された前記メニュー情報の前記関連情報に基づいて、選択された前記メニュー情報に偏りがないかを判定する偏り判定部と、を備え、
前記偏り判定部により偏りがあると判定された場合には、再度、前記無作為選択部によって前記メニュー情報を選択し、偏りがないと判定された場合には、前記表示部が、前記無作為選択部によって選択された前記メニュー情報を表示するメニュー提案システム。
【請求項２】
利用者による前記メニュー情報の選択操作を受け付ける入力受付部を備え、
前記入力受付部を介して前記表示部に表示された複数の前記メニュー情報の中から一のメニュー情報が選択された際、当該選択されたメニュー情報を所定期間分の献立計画の一部に設定可能な献立計画設定部を備える請求項１に記載のメニュー提案システム。
【請求項３】
日程と当該日程における行動予定とを含むスケジュール情報を、利用者及び利用者の家族それぞれについて記憶したスケジュール記憶部と、
前記献立計画設定部によって前記メニュー情報が一の日程に設定された際、当該日程に対応する前記スケジュール情報を抽出するスケジュール抽出部と、
前記スケジュール抽出部によって抽出された前記スケジュール情報に含まれる前記行動予定が、前記一の日程に設定された前記メニュー情報に影響を与えるとき、メニューの選択に関するアドバイスを出力するアドバイス出力部を備える請求項２に記載のメニュー提案システム。
【請求項４】
前記アドバイス出力部が、
前記スケジュール抽出部によって抽出された前記スケジュール情報に含まれる前記行動予定が食事の予定であるときに、当該食事で予定されている料理と、前記一の日程に設定された前記メニュー情報に含まれる料理と、に重複がないかを判定し、重複する場合には影響があると判定してその旨を前記アドバイスとして出力する請求項３に記載のメニュー提案システム。
【請求項５】
利用者の近郊に存在する食材の販売場所における販売日時ごとの各食材の販売価格を記憶した食材価格記憶部と、
前記献立計画の日程ごとに前記メニュー情報が設定された状態において、前記食材価格記憶部に記憶された食材の販売価格に基づいて、設定された前記メニュー情報のレシピに記載の食材を最も安価に調達可能となるように、各食材を調達する前記販売場所及び前記販売日時をまとめた調達計画を作成する調達計画作成手段と、を備える請求項２〜４の何れか一項に記載のメニュー提案システム。
【発明の詳細な説明】
【技術分野】
【０００１】
本発明は、表示部に複数のメニューを表示し、利用者にメニューの提案を行うメニュー提案システムに関する。
【背景技術】
【０００２】
日々の献立を検討するにあたっては、家族の好みや健康状態、金銭等様々な制約がある。また、栄養面などを考慮すると、同じ献立を頻繁に繰り返すことは一般的に避けた方が良い。一般家庭において、これらの諸条件を全て考慮しつつ日々の献立を検討することは、調理者にとって少なくない負担となっている。
【０００３】
調理者が献立を検討する負担を軽減するためのシステムとして、例えば、非特許文献１に示すように、必要な栄養素、カロリー、または食材などの条件を指定すると、当該条件でレシピを絞り込み、調理者（システムの利用者）に対してメニューやレシピを提案する献立提案システムが知られている。
【０００４】
また、特許文献１には、利用者が過去に選択したメニューの履歴に加え、気温、現在の日付などの補助情報に基づいて、利用者にとって適切となり得るメニューを提案するシステムが開示されている。
【先行技術文献】
【特許文献】
【０００５】
【特許文献１】特開２０１３−２１８３７６号公報
【非特許文献】
【０００６】
【非特許文献１】クックパッド（ｈｔｔｐ：／／ｃｏｏｋｐａｄ．ｃｏｍ／）
【発明の概要】
【発明が解決しようとする課題】
【０００７】
しかしながら、調理者が献立を考えるケースにおいては、検索条件を考えること自体が負担になる場合もある。具体的には、例えば、家に食材が残っておらずメニューに特に制限がない場合や、家族が特に好き嫌いなくメニューに気を遣わなくて良い場合などにおいては、厳密に条件を規定して検索することは手間である。また、特許文献１のように利用者の過去の行動履歴に基づいてメニューを提示する場合、いわゆる過学習によって、利用者の好みに沿った特定のメニューばかりを提案してしまうおそれがある。
【０００８】
また、１日分の献立を考える以外にも、１週間分など所定期間分をまとめて計画的に検討したいケースもある。このような場合には、家族の予定やイベントなど今後のスケジュールを考慮する必要があるが、従来のシステムにおいては、スケジュールを考慮するような構成は開示されておらず、利用者は献立の計画を立てる際に、別途各人のスケジュールを確認する等の煩雑な作業が必要となる。具体的には、例えば子供の給食の献立と重複しないようにする、家族の外食予定には料理を減らすなどの配慮をしなければならない場合がある。
【０００９】
そこで、本発明の目的は、利用者に対して献立の候補となるメニューを複数提示し、利用者が複数の選択肢の中から、好みの品物を選択できるようにすることで、利用者に手間をかけさせずに、感覚的に利用可能なメニュー提案システムを提供する。また、さらなる目的は、所定期間分の献立計画の立案を感覚的に行えるメニュー提案システムを提供することにある。
【課題を解決するための手段】
【００１０】
上記目的を達成するため、本発明に係るメニュー提案システムの特徴構成は、表示部に複数のメニューを表示し、利用者にメニューの提案を行うメニュー提案システムであって、
料理のレシピと当該料理の外観または分類に関連する情報である関連情報とを含むメニュー情報を複数記憶したメニュー情報記憶部と、
複数の前記メニュー情報から、規定数の前記メニュー情報を無作為に選択する無作為選択部と、
前記無作為選択部により選択された前記メニュー情報の前記関連情報に基づいて、選択された前記メニュー情報に偏りがないかを判定する偏り判定部と、を備え、
前記偏り判定部により偏りがあると判定された場合には、再度、前記無作為選択部によって前記メニュー情報を選択し、偏りがないと判定された場合には、前記表示部が、前記無作為選択部によって選択された前記メニュー情報を表示する点にある。
【００１１】
上記特徴構成によれば、メニュー情報記憶部に記憶されたメニュー情報から、無作為選択部がメニュー情報を無作為に選択し、偏り判定部により選択されたメニュー情報の関連情報に偏りがないと判定されるまで、再度メニュー情報が無作為に選択され、偏りがないと判定されると、選択されたメニュー情報が表示部に表示される。
これにより、関連情報に基づいて偏りのないメニューが表示される。メニューは無作為に選択されるため、利用者の嗜好などに基づいて特定のメニューばかりが表示されることを避けることができる。すなわち、利用者に対して献立の候補となるメニューを複数提示し、利用者が複数の選択肢の中から、好みの品物を選択できるようにすることで、利用者に手間をかけさせずに、感覚的に利用可能なメニュー提案システムを提供できる。
【００１２】
さらなる特徴構成は、利用者による前記メニュー情報の選択操作を受け付ける入力受付部を備え、前記入力受付部を介して前記表示部に表示された複数の前記メニュー情報の中から一のメニュー情報が選択された際、当該選択されたメニュー情報を所定期間分の献立計画の一部に設定可能な献立計画設定部を備える点にある。
【００１３】
上記特徴構成によれば、無作為選択部が無作為に選択したメニュー情報に基づいて、所定期間分の献立計画に設定することができる。すなわち、所定期間分の献立計画の立案を感覚的に行えるメニュー提案システムを提供できる。
【００１４】
また、別の特徴構成は、日程と当該日程における行動予定とを含むスケジュール情報を、利用者及び利用者の家族それぞれについて記憶したスケジュール記憶部と、
前記献立計画設定部によって前記メニュー情報が一の日程に設定された際、当該日程に対応する前記スケジュール情報を抽出するスケジュール抽出部と、
前記スケジュール抽出部によって抽出された前記スケジュール情報に含まれる前記行動予定が、前記一の日程に設定された前記メニュー情報に影響を与えるとき、メニューの選択に関するアドバイスを出力するアドバイス出力部を備える点にある。
【００１５】
上記特徴構成によれば、献立計画設定部によって一の日程にメニュー情報が設定された際、スケジュール記憶部に記憶された利用者及び利用者の家族のスケジュール情報をスケジュール抽出部が抽出し、抽出したスケジュール情報が当該一の日程に影響を与える場合に、アドバイス出力部がメニューの選択に関してアドバイスを出力する。すなわち、所定期間分の献立計画の立案にあたりスケジュールを別途確認するなどの手間をかけずに、献立計画の立案を感覚的に行えるメニュー提案システムを提供できる。
【００１６】
さらに、別の特徴構成は、前記アドバイス出力部が、
前記スケジュール抽出部によって抽出された前記スケジュール情報に含まれる前記行動予定が食事の予定であるときに、当該食事で予定されている料理と、前記一の日程に設定された前記メニュー情報に含まれる料理と、に重複がないかを判定し、重複する場合には影響があると判定してその旨を前記アドバイスとして出力する点にある。
【００１７】
上記特徴構成によれば、利用者が設定したメニュー情報に含まれる料理と、利用者及び利用者の家族のいずれかが食事予定の料理とが重複している場合に、重複している旨のアドバイスが表示される。よって、利用者及び利用者の家族が１日のうちに同じ料理を食べることを回避することができる。すなわち、所定期間分の献立計画の立案にあたりスケジュールを別途確認するなどの手間をかけずに、献立計画の立案を感覚的に行えるメニュー提案システムを提供できる。
【００１８】
また、別の特徴構成は、利用者の近郊に存在する食材の販売場所における販売日時ごとの各食材の販売価格を記憶した食材価格記憶部と、
前記献立計画の日程ごとに前記メニュー情報が設定された状態において、前記食材価格記憶部に記憶された食材の販売価格に基づいて、設定された前記メニュー情報のレシピに記載の食材を最も安価に調達可能となるように、各食材を調達する前記販売場所及び前記販売日時をまとめた調達計画を作成する調達計画作成手段と、を備える点にある。
【００１９】
上記特徴構成によれば、食材価格記憶部に記憶された食材の販売価格に基づいて、最も安価に必要な食材を調達できるように調達計画が作成される。よって、利用者は作成された調達計画を用いることで、最も安価に必要な食材を調達できる。すなわち、献立計画の立案を感覚的に行え、かつ利便性に優れたメニュー提案システムを提供できる。
【図面の簡単な説明】
【００２０】
【図１】メニュー提案システムの概略構成図
【図２】メニュー提案システムのフロー図
【図３】メニュー情報の表示例を示す図
【図４】メニュー情報のレシピの表示例を示す図
【図５】スケジュール情報との連携機能を示す図
【図６】献立計画の作成機能を示す図
【図７】調達計画の作成機能を示す図
【発明を実施するための形態】
【００２１】
以下では本発明に係るメニュー提案システムＳを、図を用いて説明する。図１に細目すように、メニュー提案システムＳは、表示入力部３に複数のメニューを表示し、メニュー提案システムＳの利用者に、献立に用いるメニューの提案を行う。本実施形態においては、表示入力部３は、制御部１からの出力を表示するとともに、利用者からの入力を受け付け可能に構成される。具体的には、表示入力部３としてタッチパネルが用いられる。表示入力部３は「表示部」及び「入力受付部」に相当する。
【００２２】
メニュー提案システムＳは、図３に示すように、１画面に多数のメニュー情報Ｉに対応する写真ｉ２とともに、画面中央に設けられた献立計画Ｐ１を示す円環状部が表示される。利用者は、この献立計画Ｐ１を示す円環状部に写真ｉ２を配置することで、１日〜数日、数週間といったスパンでの献立計画Ｐ１の立案が可能となっている。また、メニュー提案システムＳは、利用者や利用者の家族のスケジュール情報ｓを用いて、例えば、図５に示すように献立計画Ｐ１を立案するにあたってのアドバイスＡを行う。
【００２３】
以下では、図１を用いて、メニュー提案システムＳの詳細構成について説明し、さらに図１及び図２を用いてメニュー提案システムＳの動作例について説明する。
【００２４】
〔データベースの構成〕
メニュー提案システムＳには、３つのデータベースが備えられる。具体的には、表示入力部３に表示されるメニュー情報Ｉを複数記憶したメニュー情報記憶部ＤＢ１と、利用者及び利用者の家族などのスケジュール情報ｓを記憶するスケジュール記憶部ＤＢ２と、利用者の居住地域における食材の販売価格などを記憶した食材価格記憶部ＤＢ３とが備えられる。
【００２５】
メニュー情報記憶部ＤＢ１は、一の料理について、図４に示すような、当該料理のレシピｉ１と当該料理の外観または分類に関連する情報である関連情報ｉ３とを含むメニュー情報Ｉを複数記憶する。ここで、関連情報ｉ３は、主となる食材や、料理の分類、料理の彩り、栄養やジャンル（和食など）などを含む。より具体的には、例えば、関連情報ｉ３の主となる食材としては「肉」「魚」「麺類」など、料理の分類として「煮物」「焼き物」など、彩りとしては「赤」「緑」「茶色」などが設定される。
【００２６】
また、本実施形態においては、メニュー情報Ｉには、料理を写した写真ｉ２が含まれるほか、利用者が任意に設定可能な評価値が設定される。評価値としては、例えば、利用者にとっての調理難易度や、その料理を好きな度合いなどが設定される。これらの評価値は、利用者が表示入力部３を介して入力可能である。
【００２７】
メニュー情報記憶部ＤＢ１に記憶されるメニュー情報Ｉは、ネットワークを介してメニュー提案システムＳの外部（例えば、インターネット上の料理レシピサイト）から取得し、記憶するように構成しても構わないし、利用者やメニュー提案システムＳを構築する業者が入力しても構わない。
【００２８】
スケジュール記憶部ＤＢ２は、一の日程と当該日程における行動予定とを含むスケジュール情報ｓを、利用者及び利用者の家族それぞれについて記憶する。本実施形態においては、スケジュール記憶部ＤＢ２には、ネットワークを介して外部のスケジューラサービスから各人のスケジュール情報ｓを取得し、記憶するように構成される。
【００２９】
食材価格記憶部ＤＢ３は、利用者の近郊に存在する食材の販売場所における販売日時ごとの各食材の販売価格を記憶する。食材価格記憶部ＤＢ３には、ネットワークを介して、例えばスーパーの広告などを電子データとして提供するサービスから取得した店舗ごとの食材の販売価格及びその販売日時が記憶される。
【００３０】
〔制御部の構成〕
制御部１は、各記憶部ＤＢ１〜ＤＢ３から情報を読みとるとともに、適宜処理を行い、表示入力部３にメニュー情報Ｉや、利用者へのアドバイスＡなどを表示する。制御部１には、無作為選択部１１、偏り判定部１２、献立計画設定部１３、スケジュール抽出部１４、アドバイス出力部１５、調達計画作成手段１６が備えられる。
【００３１】
１．メニュー情報Ｉの表示機能
無作為選択部１１は、メニュー情報記憶部ＤＢ１に記憶された複数のメニュー情報Ｉから、規定数Ｘのメニュー情報を無作為に選択する。本実施形態においては、規定数Ｘは２０個に設定される。
【００３２】
偏り判定部１２は、無作為選択部１１により選択されたメニュー情報Ｉの関連情報ｉ３に基づいて、選択されたメニュー情報Ｉに偏りがないかを判定する。偏り判定部１２により偏りがあると判定された場合には、再度、無作為選択部１１によってメニュー情報Ｉを選択する。偏りがあるか否かの判定は、メニュー情報Ｉの関連情報ｉ３の１項目（例えば「彩り」）において、１種類の値が設定数以上もしくは設定割合以上のときに偏りありと判定し、設定数未満もしくは設定割合未満のときに偏りがありと判定する。
【００３３】
具体的には、例えば、偏り判定部１２がメニュー情報Ｉの関連情報ｉ３の彩りを基準として偏りを判定する場合、選択されたメニュー情報Ｉの関連情報ｉ３に「茶色」が設定数以上もしくは設定割合以上のときに場合には、緑黄色野菜が多く含まれると考えられる「緑」、「赤」に設定されたメニュー情報Ｉが多くなるよう、無作為選択部１１により再度メニュー情報Ｉを選択する。
【００３４】
また、例えば、偏り判定部１２がメニュー情報Ｉの関連情報ｉ３の料理の分類を基準として偏りを判定する場合、「揚げ物」ばかりのメニュー情報Ｉが選定されてしまって場合には、「煮物」や「炒め物」が含まれるように、無作為選択部１１により再度メニュー情報Ｉを選択する。
【００３５】
なお、偏り判定部１２は、メニュー情報Ｉの関連情報ｉ３の１項目を基準とする場合に限らず、複数の項目を基準として、偏りの有無を判定するように構成しても構わない。
【００３６】
偏り判定部１２により偏りがないと判定された場合には、表示入力部３によって、無作為選択部１１によって選択されたメニュー情報Ｉが表示される。本実施形態においては、メニュー情報Ｉに含まれる写真ｉ２が、図３〜図７に示すように表示される。なお、メニュー情報Ｉの表示方法は、図示するような写真ｉ２の表示方法に限らず、例えば、レシピの概要一覧を表示するなど、種々の方法を用いて構わない。
【００３７】
なお、本実施形態においては、表示入力部３に表示されるメニュー情報Ｉに対して利用者が、関連情報ｉ３としての評価値を入力する形態でフィードバック可能に構成される。評価値が入力されると、無作為選択部１１は、評価値の高いものを優先して選択するように構成される。
【００３８】
また、本実施形態においては、図４に示すように、表示入力部３上で写真ｉ２に対して押圧などの選択操作を行うと、当該写真ｉ２の料理に対応したレシピｉ１が表示される。
【００３９】
２．献立計画の作成機能
献立計画設定部１３は、利用者によって表示入力部３に表示された複数のメニュー情報Ｉの中から一のメニュー情報Ｉが選択された際、当該選択されたメニュー情報Ｉが示す料理を、所定期間Ｗ（例えば、一週間）分の献立計画Ｐ１の一の日程における献立として設定可能とする。設定された献立計画Ｐ１は、記憶部２に記憶される。
【００４０】
本実施形態においては、図６に示すように、利用者が、画面中央に表示された献立計画Ｐ１を示す円環部の周囲に写真ｉ２を移動させて配置することが可能となっている。写真ｉ２を配置することで、献立計画Ｐ１の各曜日における献立として、当該写真ｉ２に対応するメニュー情報Ｉが設定される。
【００４１】
３．スケジュール情報との連携機能
スケジュール抽出部１４は、献立計画設定部１３によってメニュー情報Ｉが一の日程に設定された際、当該日程に対応するスケジュール情報ｓをスケジュール記憶部ＤＢ２から抽出する。
【００４２】
アドバイス出力部１５は、スケジュール抽出部１４によって抽出されたスケジュール情報ｓに含まれる行動予定が、一の日程に設定されたメニュー情報Ｉに影響を与えるとき、メニューの選択に関するアドバイスＡを出力する。アドバイスＡの出力方法としては、表示入力部３上にメッセージとして表示することや、音声として出力するなど各種方法を用いることができる。
【００４３】
すなわち、アドバイス出力部１５は、利用者及びその家族のスケジュール情報ｓの行動予定が、出張や来客、旅行などの場合、また給食や外食の予定の場合に、献立計画Ｐ１を作成するにあたり影響があると判定し、利用者がより適切なメニュー情報Ｉの選択がアドバイスＡを出力する。
【００４４】
より詳しくは、アドバイス出力部１５は、スケジュール抽出部１４によって抽出された利用者又は利用者の家族のスケジュール情報ｓに含まれる行動予定が食事の予定であるときに、当該食事で予定されている料理と、献立計画設定部１３によって一の日程に設定されたメニュー情報Ｉに含まれる料理と、が重複していないかを判定し、重複する場合に影響があると判定して、その旨をアドバイスＡとして出力する。
【００４５】
ここで、スケジュール情報ｓに含まれる食事の予定は、例えば、給食の献立予定情報や外食の情報などを意味する。また、出力されるアドバイスＡとしては、例えば、利用者の家族のスケジュール情報ｓが入っている場合に影響があると判定し「＊日は献立が不要」といったものや「必要な分量がいつもより少ない」ことなど、また利用者のスケジュール情報ｓが入っている場合には影響があると判定し、「調理時間が十分取れないおそれがある」ことなどを出力する。
【００４６】
具体的には、例えば、１月１０日にメニュー情報Ｉが設定されたとき、１月１０日に利用者の家族の１人が出張であるというスケジュール情報ｓが抽出されると、影響があると判定し、アドバイス出力部１５によって、表示入力部３上に「いつもより分量を少なめに作ること」を推奨するメッセージが表示される。
【００４７】
また例えば、外食のスケジュールが登録されている日にメニュー情報Ｉが設定されると、アドバイス出力部１５は、その日は料理が不要であることを警告するメッセージを表示する。その他に、例えば、利用者の帰宅が遅くなる予定の日に、評価値としての「利用者にとっての調理難易度」が高いメニュー情報Ｉが設定されると、アドバイス出力部１５はその旨をメッセージで表示する。この場合、制御部１は、調理難易度が低く設定されたメニュー情報Ｉをピックアップして知らせるように構成されると好適である。
【００４８】
４．調達計画の作成
調達計画作成手段１６は、献立計画Ｐ１の各日程にメニュー情報Ｉが設定された状態において、食材価格記憶部ＤＢ３に記憶された食材の販売価格に基づいて、設定されたメニュー情報Ｉのレシピに記載の食材を最も安価に調達可能となるように、各食材を調達する販売場所及び販売日時をまとめた調達計画Ｐ２を作成する。
【００４９】
具体的には、調達計画作成手段１６により調達計画Ｐ２が作成されると、表示入力部３には、図７に示すように、献立計画Ｐ１に設定されたメニュー情報Ｉのレシピに記載の食材を全て購入した場合の、各食材の価格の一覧が表示される。また、表示入力部３には、例えば、月曜日に一の店舗で魚を、火曜日に他の店舗で肉及び野菜を購入すると良い旨が表示される。
【００５０】
〔メニュー提案システムの動作〕
図１及び図２を用いて、メニュー提案システムＳの動作の一例を説明する。メニュー提案システムＳの制御部１は、利用者が利用を開始すると、まず外部ネットワークを介してスケジュール情報ｓを食材価格記憶部ＤＢ３に取得する（＃１）。続いて、無作為選択部１１が、メニュー情報記憶部ＤＢ１からメニュー情報Ｉをランダムに選択する（＃２）。
【００５１】
偏り判定部１２により、選択されたメニュー情報Ｉの関連情報ｉ３に偏りがあると判定された場合、再度＃２を実行する（＃３：Ｙｅｓ）。偏りがないと判定される（＃３：Ｎｏ）と、制御部１は、無作為選択部１１に選択されたメニュー情報Ｉの写真ｉ２を表示入力部３に表示する（＃４）。
【００５２】
続いて、利用者が写真ｉ２を選択し、図３に示す献立計画Ｐ１を示す円環部の周囲に配置する（＃５）と、スケジュール抽出部１４により写真ｉ２が配置された日にちに関連するスケジュール情報ｓが食材価格記憶部ＤＢ３から抽出される。関連するスケジュール情報ｓが抽出された場合（＃６：Ｙｅｓ）、アドバイス出力部１５により適宜アドバイスＡが出力される（＃７）。関連するスケジュール情報ｓが存在しない場合には、何も行わない。
献立計画Ｐ１を立てる所定期間Ｗ分の日程すべてについて献立が決定されるまで、上記＃５〜＃７が繰り返される（＃８：Ｎｏ）。
【００５３】
所定期間Ｗ分の日程すべてについて献立が決定されると（＃８：Ｙｅｓ）、決定された献立計画Ｐ１に基づいて、調達計画作成手段１６により調達計画Ｐ２が作成され、表示入力部３に表示される（＃９）。
【００５４】
以上のようにして、利用者は、表示入力部３上に表示されるアドバイスＡを参考にしつつ、写真ｉ２を操作するのみで、所定期間分の献立計画の立案にあたりスケジュールを別途確認するなどの手間をかけずに、献立計画の立案を感覚的に行える。
【００５５】
〔別実施形態〕
（１）上記実施形態においては、メニュー提案システムＳが、献立計画Ｐ１の立案を支援するように構成されている場合の一例を示したが、メニュー提案システムＳが、献立計画Ｐ１の立案を支援する機能を備えない構成としても構わない。この場合、具体的には、メニュー提案システムＳに、制御部１の各部１３〜１５、記憶部２、スケジュール記憶部ＤＢ２などを備えない構成とすると良い。
【００５６】
（２）上記実施形態においては、調達計画作成手段１６を備える場合の一例を示したが、調達計画作成手段１６を備えない構成としても構わない。この場合、具体的には、メニュー提案システムＳに食材価格記憶部ＤＢ３や調達計画作成手段１６を備えない構成とすると良い。
【符号の説明】
【００５７】
３        ：表示入力部（表示部、入力受付部）
１１      ：無作為選択部
１２      ：偏り判定部
１３      ：献立計画設定部
１４      ：スケジュール抽出部
１５      ：アドバイス出力部
１６      ：調達計画作成手段
Ａ        ：アドバイス
ＤＢ１    ：メニュー情報記憶部
ＤＢ２    ：スケジュール記憶部
ＤＢ３    ：食材価格記憶部
Ｉ        ：メニュー情報
Ｐ１      ：献立計画
Ｐ２      ：調達計画
Ｓ        ：メニュー提案システム
Ｗ        ：所定期間
Ｘ        ：規定数
ｉ１      ：レシピ
ｉ３      ：関連情報
ｓ        ：スケジュール情報
【図１】
2016184220.tif 000003
【図２】
2016184220.tif 000004
【図３】
2016184220.tif 000005
【図４】
2016184220.tif 000006
【図５】
2016184220.tif 000007
【図６】
2016184220.tif 000008
【図７】
2016184220.tif 000009